(57)【要約】【課題】ゲートを通過しようとする対象を誤認識してしまうということと、情報処理装置に常に処理負荷がかかるということ。【解決手段】本発明の照合システムは、ゲートに対する通過前側領域の撮影画像を取得する取得手段と、処理対象となる人物の顔領域を撮影画像内から抽出する抽出手段と、人物の目間距離を、抽出された顔領域から検出する検出手段と、目間距離が所定の条件を満たす場合に、予め登録された人物と、撮影画像内の前記人物と、の照合処理を開始する照合手段と、照合処理の結果に基づいて、ゲートに対する人物の通過可否を判定する判定手段と、を備える。【選択図】図１２
2019194875.tif 000002
【特許請求の範囲】
【請求項１】
ゲートに対する通過前側領域の撮影画像を取得する取得手段と、
処理対象となる人物の顔領域を前記撮影画像内から抽出する抽出手段と、
前記人物の目間距離を、抽出された前記顔領域から検出する検出手段と、
前記目間距離が所定の条件を満たす場合に、予め登録された人物と、前記撮影画像内の前記人物と、の照合処理を開始する照合手段と、
前記照合処理の結果に基づいて、前記ゲートに対する前記人物の通過可否を判定する判定手段と、
を備える照合システム。
【請求項２】
請求項１に記載の照合システムであって、
前記照合手段は、前記目間距離が前記所定の条件を満たす前記人物が複数存在する場合に、前記目間距離が最大の前記人物に対する前記照合処理を優先して開始する、
照合システム。
【請求項３】
ゲートに対する通過前側領域の撮影画像を取得し、
処理対象となる人物の顔領域を前記撮影画像内から抽出し、
前記人物の目間距離を、抽出された前記顔領域から検出し、
前記目間距離が所定の条件を満たす場合に、予め登録された人物と、前記撮影画像内の前記人物と、の照合処理を開始し、
前記照合処理の結果に基づいて、前記ゲートに対する前記人物の通過可否を判定する、
照合方法。
【請求項４】
請求項３に記載の照合方法であって、
前記目間距離が前記所定の条件を満たす前記人物が複数存在する場合に、前記目間距離が最大の前記人物に対する前記照合処理を優先して開始する、
照合方法。
【請求項５】
情報処理装置に、
ゲートに対する通過前側領域の撮影画像を取得する取得手段と、
処理対象となる人物の顔領域を前記撮影画像内から抽出する抽出手段と、
前記人物の目間距離を、抽出された前記顔領域から検出する検出手段と、
前記目間距離が所定の条件を満たす場合に、予め登録された人物と、前記撮影画像内の前記人物と、の照合処理を開始する照合手段と、
前記照合処理の結果に基づいて、前記ゲートに対する前記人物の通過可否を判定する判定手段と、
を実現させるためのプログラム。
【請求項６】
請求項５に記載のプログラムであって、
前記照合手段は、前記目間距離が前記所定の条件を満たす前記人物が複数存在する場合に、前記目間距離が最大の前記人物に対する前記照合処理を優先して開始する、
プログラム。
【発明の詳細な説明】
【技術分野】
【０００１】
本発明は、照合システムにかかり、特に、ゲートを通過しようとする対象を照合する照合システムに関する。
【背景技術】
【０００２】
オフィスやイベント会場などの特定場所に入退場する人物を制限したり管理する手段として、通過しようとする人物が予め登録された人物か否かを照合する照合システムが用いられる。特に、近年では、人物の顔認証技術の発達により、ゲートに設置したカメラで撮影した人物の顔画像から顔認証を行うウォークスルー顔認証システムが利用されている。
【先行技術文献】
【特許文献】
【０００３】
【特許文献１】特開２０１５−１７９０号公報
【発明の概要】
【発明が解決しようとする課題】
【０００４】
ここで、ウォークスルー顔認証システムにおいては、複数のゲートが隣接し、各ゲートにそれぞれ向かう人物が通行するレーンが隣接している場合がある。この場合、あるゲートのレーンを通行する人物を撮影した画像に、隣接するレーンで隣接するゲートに向かう人物も映ってしまう場合がある。すると、隣接するレーンを通行する人物を、自レーンを通行する人物と誤認識してしまい、自レーンの先にある自ゲートを通行する人物の照合の妨げとなる場合がある。このため、複数のゲートが設置された状況においては、各ゲートに向かう人物の誤認識を抑制することが求められる。
【０００５】
また、ウォークスルー顔認証システムに関連する技術として、特許文献１に記載の技術がある。特許文献１では、人物がゲートから遠くにいる時点で認証が済んでしまい、かかる人物がゲートに到達する前にゲートが開放されてしまう、という問題を掲げている。そして、かかる問題を解決するために、特許文献１では、撮影した人物の顔画像と登録顔画像との照合を行い、照合した人物の入力画像上の大きさに基づいて、かかる人物のゲートへの接近を検出している。
【０００６】
しかしながら、特許文献１では、入力画像に映し出されている全ての人物に対して照合処理を行っており、その後、照合に成功した人物のゲートへの接近を検出している。従って、情報処理装置に常に照合処理の処理負荷がかかる、という問題が生じる。
【０００７】
また、上述した各ゲートにそれぞれ向かう人物の誤認識という問題や、情報処理装置に常に照合処理の処理負荷がかかるという問題は、ゲートを通過する対象が人物である場合に限らず、いかなる対象の照合を行う場合にも生じうる。
【０００８】
このため、本発明の目的は、上述した課題である、ゲートを通過しようとする対象を誤認識してしまうという問題と、情報処理装置に常に処理負荷がかかるという問題と、を解決することができる照合システムを提供することにある。
【課題を解決するための手段】
【０００９】
本発明の一形態である照合システムは、
ゲートに対する通過前側領域の撮影画像を取得する撮像手段と、
予め登録された対象と、前記撮影画像内の対象と、の照合処理を行う照合手段と、
前記照合処理の結果に基づいて、前記ゲートに対する前記対象の通過可否を判定する判定手段と、
を備え、
前記照合手段は、前記撮影画像の領域毎に設定された、当該領域に位置する前記対象についての条件に基づいて、前記照合処理を開始する、
という構成をとる。
【００１０】
また、本発明の一形態である情報処理装置は、
ゲートに対する通過前側領域の撮影画像内の対象と、予め登録された対象と、の照合処理を行う照合手段と、
前記照合処理の結果に基づいて、前記ゲートに対する前記対象の通過可否を判定する判定手段と、
を備え、
前記照合手段は、前記撮影画像の領域毎に設定された、当該領域に位置する前記対象についての条件に基づいて、前記照合処理を開始する、
という構成をとる。
【００１１】
また、本発明の一形態であるプログラムは、
情報処理装置に、
ゲートに対する通過前側領域の撮影画像内の対象と、予め登録された対象と、の照合処理を行う照合手段と、
前記照合処理の結果に基づいて、前記ゲートに対する前記対象の通過可否を判定する判定手段と、
を実現させるためのプログラムであり、
前記照合手段は、前記撮影画像の領域毎に設定された、当該領域に位置する前記対象についての条件に基づいて、前記照合処理を開始する、
という構成をとる。
【００１２】
また、本発明の一形態である照合方法は、
情報処理装置が、
ゲートに対する通過前側領域の撮影画像内の対象と、予め登録された対象と、の照合処理を行い、
前記照合処理の結果に基づいて、前記ゲートに対する前記対象の通過可否を判定する方法であり、
前記情報処理装置は、前記撮影画像の領域毎に設定された、当該領域に位置する前記対象についての条件に基づいて、前記照合処理を開始する、
という構成をとる。
【発明の効果】
【００１３】
本発明は、以上のように構成されることにより、ゲートを通過しようとする対象の誤認識を抑制することができると共に、不要な照合処理を抑制して情報処理装置の処理負荷を低減することができる。
【図面の簡単な説明】
【００１４】
【図１】本発明の実施形態１における顔認証システムの使用状況を示す図である。
【図２】本発明の実施形態１における顔認証システムの構成を示すブロック図である。
【図３】図１に開示した顔認証システムによる撮像状況を示す図である。
【図４】図１に開示した顔認証システムにて図３の撮像状況で撮影した撮影画像を示す図である。
【図５】図１に開示した顔認証システムによる撮像状況を示す図である。
【図６】図１に開示した顔認証システムにて図５の撮像状況で撮影した撮影画像を示す図である。
【図７】図１に開示した顔認証システムによる処理動作を示すフローチャートである。
【図８】本発明の実施形態２における顔認証システムによる撮像状況を示す図である。
【図９】本発明の実施形態２における顔認証システムにて図８の撮像状況で撮影した撮影画像を示す図である。
【図１０】本発明の実施形態２における顔認証システムによる撮像状況を示す図である。
【図１１】本発明の実施形態２における顔認証システムにて図１０の撮像状況で撮影した撮影画像を示す図である。
【図１２】本発明の実施形態３における照合システムの構成を示すブロック図である。
【図１３】本発明の実施形態３における情報処理装置の構成を示すブロック図である。
【発明を実施するための形態】
【００１５】
＜実施形態１＞
本発明の第１の実施形態を、図１乃至図７を参照して説明する。図１は、顔認証システムの使用状況を示す図である。図２は、顔認証システムの構成を示す図である。図３乃至図７は、顔認証システムの処理動作を説明するための図である。
【００１６】
［全体構成］
本発明における顔認証システム１０（照合システム）は、オフィスやイベント会場などの特定場所において、人物（対象）の入退場を制限したり管理するために用いられるシステムである。例えば、顔認証システム１０を構成する撮像装置は、人物の入退場の際に開閉されるゲート毎に、当該ゲートの配置箇所付近にそれぞれ設置されるものである。
【００１７】
図１に示す例では、３つのゲートＧ１，Ｇ２，Ｇ３が並列に隣接して配置されており、図１の右側から各ゲートＧ１，Ｇ２，Ｇ３に向かって、矢印に示す方向に人物が通行するよう構成されている。このため、各ゲートＧ１，Ｇ２，Ｇ３に対する図１の右側領域は、人物がゲートを通過する前側の領域（通過前側領域）となっている。そして、各ゲートＧ１，Ｇ２，Ｇ３の通過前側領域には、当該各ゲートＧ１，Ｇ２，Ｇ３を通過しようとする人物が並んで通行する各レーンＲ１，Ｒ２，Ｒ３が、各ゲートＧ１，Ｇ２，Ｇ３にそれぞれ対応して並列に位置している。なお、各レーンＲ１，Ｒ２，Ｒ３は、何らかの部材で仕切られていてもよく、仕切られていなくてもよい。
【００１８】
図１に示す状況において、本実施形態における顔認証システム１０を構成する撮像装置Ｃ１，Ｃ２，Ｃ３は、対応する各ゲートＧ１，Ｇ２，Ｇ３付近であり、各ゲートＧ１，Ｇ２，Ｇ３に向かう人物から見て右側に設置されている。但し、撮像装置の設置位置は、図１に示す位置に限定されず、ゲートに向かって左側やゲートの上方など、いかなる位置に設置されていてもよい。なお、顔認証システム１０は、各撮像装置Ｃ１，Ｃ２，Ｃ３の近辺に、表示装置も備えている。
【００１９】
そして、顔認証システム１０は、例えば、ゲートＧ１においては、装備している撮像装置Ｃ１にてゲートＧ１に向かう人物の画像を撮影する。そして、撮影画像に映る人物の顔画像から、かかる人物が予め登録された人物であるか否かを照合し、照合が成功すると、人物が通過可能なようゲートＧ１を開く、という処理を行う。以下、顔認証システム１０の構成について詳述する。なお、以下では、ゲートＧ１に対応して設置された顔認証システム１０について説明するが、他のゲートＧ２，Ｇ３に対応して設置された顔認証システムも同様の構成である。
【００２０】
［顔認証システムの構成］
本実施形態における顔認証システム１０は、撮像装置Ｃ１（カメラ）及び表示装置Ｄ１（ディスプレイ）と一体的に構成された演算装置及び記憶装置を有する情報処理装置である。逆に言うと、撮像装置Ｃ１に、顔認証処理を行う演算装置及び記憶装置を有する情報処理装置と表示装置Ｄ１が搭載されている。但し、顔認証システム１０は、必ずしも撮像装置Ｃ１や表示装置Ｄ１と一体的に構成されていることに限定されない。例えば、撮像装置Ｃ１と表示装置Ｄ１と撮影画像を処理する情報処理装置とが別々の装置にて構成されており、別々の場所に設置されていてもよい。
【００２１】
具体的に、顔認証システム１０は、図２に示すように、撮像装置Ｃ１及び表示装置Ｄ１を備えると共に、演算装置がプログラムを実行することで構築された対象抽出部１１と、条件判定部１２と、照合部１３と、ゲート制御部１４と、を備えている。また、顔認証システム１０は、記憶装置に構築された、照合条件記憶部１５と、照合データ記憶部１６と、を備えている。
【００２２】
上記撮像装置Ｃ１（撮像手段）は、ゲートＧ１に対する通過前側領域、つまり、対応するレーンＲ１のゲートＧ１前領域の撮影画像を、所定のフレームレートで取得するカメラ及びカメラ制御部を備えたものである。そして、撮像装置Ｃ１は、例えば図３に示すように、符号Ｃ１ａ線で挟まれた範囲が撮影領域となっている。このとき、撮影領域のうち符号Ｃ１ｂ線で挟まれた水平方向における中央領域に、撮像装置Ｃ１が設置されたゲートＧ１に対応するレーンＲ１（自レーン）を通行する人物Ｐ１０が位置するよう、撮像装置Ｃ１の撮影領域が設定されている。なお、撮影画像は、撮像装置Ｃ１に対する遠近方向の予め設定された距離の範囲、例えば、図３に示す符号Ｌ１線から符号Ｌ２線の間の距離で、概ね焦点が合うよう設定されている。
【００２３】
上述したように撮像装置Ｃ１の撮影領域が設定されていることにより、撮影領域のうち、符号Ｃ１ａ線と符号Ｃ１ｂ線とに挟まれた領域である上記中央領域に対して水平方向における端領域には、図３及び図４に示す状況では、隣接するゲートＧ２に対応するレーンＲ２を通行する人物Ｐ２０が映る場合が生じる。また、端領域には、図５及び図６に示す状況では、撮像装置Ｃ１が設置された自ゲートＧ１に対応する自レーンＲ１に位置する人物Ｐ１２が映る場合もある。本発明の顔認証システム１０は、このような状況が生じた場合であっても、以下に説明するように、自ゲートＧ１を通過しようとする人物Ｐ１２を適切に認識してゲート通過の可否を判定可能とし、さらに、処理負荷を低減するよう構成されている。
【００２４】
上記対象抽出部１１（対象情報検出手段）は、撮像装置Ｃ１から撮影画像を取得し、照合処理を開始するか否かを判定するために用いる判定情報（対象情報）を、例えば以下のようにして検出する。まず、撮影画像内から処理対象となる人物の顔領域を抽出する。人物の顔領域の抽出は、例えば、動く人物の全体像に対する位置や色などから判定して行う。そして、対象抽出部１１は、判定情報としての人物の特徴を、顔領域から検出する。本実施形態では、判定情報としての特徴は、人物の両目の間の距離（目間距離）であり、図４や図６に示すように、符号ｄ１０，ｄ２０，ｄ１２のように検出する。但し、目間距離の検出方法は上述した方法に限定されず、いかなる方法で検出してもよい。また、後述するように、判定情報は人物の特徴を表す他の情報であってもよく、いかなる方法で検出してもよい。
【００２５】
上記条件判定部１２（照合手段）は、対象抽出部１１で検出した判定情報としての人物の特徴である目間距離ｄ１０，ｄ２０，ｄ１２が、照合処理を開始するための条件を満たすか否かを判定する。ここで、本実施形態では、照合処理を開始するための条件が、撮影画像内における人物が位置する領域毎に異なる値、つまり、撮影画像内の中央領域と端領域とで異なる値が設定されており、かかる値は照合条件記憶部１５に予め記憶されている。例えば、撮影画像の中央領域に対応する条件の値Ｔｃとしては、人物が自ゲートＧ１のレーンＲ１に位置する場合に、当該人物の目間距離が必ず超えるような値を設定する。一方で、撮影画像の端領域に対応する条件の値Ｔｅとしては、中央領域に設定した条件の値Ｔｃよりも大きい値を設定する（Ｔｅ＞Ｔｃ）。一例として、端領域に対応する条件の値Ｔｅとしては、図５及び図６に示すように自ゲートＧ１のレーンＲ１に位置して撮像装置１により近く位置する人物Ｐ１２の目間距離ｄ１２よりも小さく、図３及び図４に示すように隣のレーンＲ２に位置する人物Ｐ２０の目間距離ｄ２０よりも大きくなるような値を設定する。
【００２６】
上記の状況において、条件判定部１２は、判定情報としての人物の特徴である目間距離ｄ１０，ｄ２０，ｄ１２が、当該人物が位置する撮影画像内の領域に設定された条件の値（Ｔｃ又はＴｅ）を超えているか否かを判定する。例えば、図３及び図４の場合には、撮影画像の中央領域に位置する人物Ｐ１０については、その目間距離ｄ１０が中央領域に設定された条件の値Ｔｃを超えているかを判定する。また、撮影画像の端領域に位置する人物Ｐ２０については、その目間距離ｄ２０が端領域に設定された条件の値Ｔｅを超えているかを判定する。同様に、図５及び図６の場合には、撮影画像の中央領域に位置する人物Ｐ１０については、その目間距離ｄ１０が中央領域に設定された条件の値Ｔｃを超えているかを判定する。また、撮影画像の端領域に位置する人物Ｐ１２については、その目間距離ｄ１２が端領域に設定された条件の値Ｔｅを超えているかを判定する。図３及び図４の例では、中央領域の人物Ｐ１０が条件を満たし、端領域の人物Ｐ２０は条件を満たさないこととなる。図５及び図６の例では、中央領域の人物Ｐ１０が条件を満たし、端領域の人物Ｐ１２も条件を満たすこととなる。
【００２７】
上記照合部１３（照合手段）は、条件判定部１２により人物の目間距離が当該人物が位置する領域に設定された条件の値を超えている、つまり、条件を満たす、と判定された場合に、かかる人物に対する照合処理を開始する。換言すると、照合部１３は、条件判定部１２にて条件を満たさなかった人物については、照合処理を行わない。ここで、照合処理は、例えば以下のようにして行う。まず、照合処理の対象となる人物の顔領域から、照合に必要な特徴量を生成する。そして、生成した特徴量と、予め照合データ記憶部１６に登録された人物の特徴量と、の類似度といった照合スコアを算出し、照合スコアがしきい値よりも高いか否か判定する。照合スコアがしきい値より高い場合には、照合成功とし、ゲートＧ１を通過しようとしている人物が、予め登録されている人物であると判断する。このとき、照合するために検出する人物の特徴量は、既存の顔照合技術で用いられる特徴量であってもよく、いかなる方法によって算出される特徴量であってもよい。また、照合方法はいかなる方法であってもよい。
【００２８】
上記ゲート制御部１４（判定手段）は、まず、照合部１３による照合結果に基づいて、ゲートＧ１に対する人物の通過可否を判定する。具体的には、照合部１３による照合が成功した人物に対しては通過可能と判定する。また、ゲート制御部１４は、照合結果つまり照合の成否を表示装置Ｄ１に表示する機能を有する。さらに、ゲート制御部１４は、ゲートＧ１の開閉を行うゲート制御機能も有しており、通過可能と判断した人物に対してはゲートＧ１を開くよう制御する。
【００２９】
なお、上記表示装置Ｄ１は、ゲートＧ１を通過しようとする人物が視認可能なよう、当該ゲートＧ１の通過前側領域に表示面を向けて配置されている。但し、表示装置Ｄ１は、必ずしも装備されていなくてもよい。
【００３０】
［動作］
次に、上述した顔認証システム１０の動作を、図７のフローチャートを参照して説明する。ここでは、ゲートＧ１に対応する顔認証システム１０の動作について説明し、撮像装置Ｃ１による撮影状況が図３乃至図６に示す状況である場合を一例に説明する。
【００３１】
ゲートＧ１に対応する撮像装置Ｃ１は、ゲートＧ１の通過前側領域の画像を撮影し続ける。そして、顔認証システム１０は、撮影した撮影画像に対して、常に以下の処理を行う。
【００３２】
まず、対象抽出部１１が、撮影画像内から処理対象となる人物（対象）を抽出する（ステップＳ１）。そして、抽出した人物から、照合処理を開始するための条件判定を行うために必要な判定情報としての人物の特徴、ここでは、人物の目間距離を検出する（ステップＳ２）。例えば、図４の符号ｄ１０，ｄ２０や、図６の符号ｄ１０，ｄ１２のように検出する。
【００３３】
続いて、条件判定部１２が、検出した判定情報である目間距離が、照合処理を開始するための条件を満たすか否かを判定する。このとき、人物が位置している領域毎に条件の値が設定されているため、人物の位置に対応した条件の値を照合条件記憶部１５から読み出し、検出した目間距離が条件の値を超えているか否かを判定する（ステップＳ３）。図３及び図４の例では、撮影画像の中央領域に位置する人物Ｐ１０の目間距離ｄ１０は、中央領域に設定された条件の値Ｔｃを超えていると判定される。そして、撮影画像の端領域に位置する人物Ｐ２０の目間距離ｄ２０は、上記値Ｔｃよりも大きい値である端領域に設定された条件の値Ｔｅを超えていないと判定される。このため、人物Ｐ１０のみが照合処理を開始する条件を満たすと判定される（ステップＳ３でＹｅｓ）。また、図５及び図６の例では、撮影画像の中央領域に位置する人物Ｐ１０の目間距離ｄ１０が、中央領域に設定された条件の値Ｔｃを超えていると判定される。そして、撮影画像の端領域に位置する人物Ｐ１２の目間距離ｄ１２が、端領域に設定された条件の値Ｔｅを超えていると判定される。このため、図５及び図６の例では、人物Ｐ１０と人物Ｐ１２が照合処理を開始する条件を満たすと判定される（ステップＳ３でＹｅｓ）。
【００３４】
続いて、照合部１３が、条件判定部１２により目間距離が領域毎に設定された条件の値を超えていると判定された人物に対する照合処理を開始する（ステップＳ４）。図３及び図４の例では、人物Ｐ１０のみの照合処理を開始し、図５及び図６の例では、人物Ｐ１０と人物Ｐ１２の照合処理を開始する。照合処理は、まず、照合処理の対象となる人物の顔領域から照合に必要な特徴量を検出し、予め照合データ記憶部１６に登録された人物の特徴量と照合を行い、照合スコアを取得する。そして、照合スコアがしきい値以上であるか否かを判定する。なお、図５及び図６の例では、人物Ｐ１０と人物Ｐ１２が照合対象となるが、判定情報である目間距離が大きい人物Ｐ１２の方を優先して照合処理を開始して、後述するように通過可否の判定及びゲート開閉を行ってもよい。
【００３５】
照合部１３による照合処理の結果、通行しようとしている人物の照合に成功すると（ステップＳ５でＹｅｓ）、ゲート制御部１４（判定手段）がゲートＧ１に対する人物の通過を許可し、ゲートＧ１を開くよう制御する（ステップＳ６）。このとき、ゲート制御装置１４は、通過可否を表示装置Ｄ１に表示する。
【００３６】
以上のように、本実施形態の顔認証システム１０によると、隣接ゲートＧ２を通過しようとしている人物Ｐ２０に対する照合処理を抑制でき、自ゲートＧ１を通過しようとする人物Ｐ１０，Ｐ１２を適切に照合処理することができる。例えば、図３及び図４の例では、自ゲートＧ１を通過しようとしている人物Ｐ１０を照合処理するが、隣接ゲートＧ２を通過しようとしている人物Ｐ２０の照合処理は行われない。また、図５及び図６の例では、撮影画像の端領域に映っている人物Ｐ１２であっても、自ゲートＧ１を通過しようとしているため、適切に照合処理が行われることとなる。その結果、他のゲートを通過しようとする人物の誤認識を抑制することができると共に、不要な照合処理を抑制して情報処理装置の処理負荷を低減することができる。
【００３７】
なお、上記では、撮影画像内の領域を、水平方向に中央領域と端領域とに区分けする場合を例示したが、他の領域に区分けしてもよい。その場合にも、領域毎に、照合処理を開始する条件が設定される。
【００３８】
また、上記では、照合処理を開始する条件の値と比較する人物の特徴である判定情報が目間距離である場合を例示したが、判定情報は、人物の顔を構成する他の部位間の距離であってもよく、人物の他の部位の大きさを表す値であってもよい。これに応じて、照合処理を開始する条件の値も、撮影画像内の領域毎に設定される。
【００３９】
また、上記では、ゲートＧ１を通過しようとしている対象が人物である場合を例示したが、人物に限らずいかなる物体でもよい。例えば、荷物といった物体であってもよい。これに応じて、照合処理を開始する条件の値と比較する対象の特徴を表す判定情報は、物体から検出できるいかなる特徴を表す情報であってもよい。また、照合処理を行う際には、物体から検出できるいかなる特徴量を利用してもよい。
【００４０】
＜実施形態２＞
次に、本発明の第２の実施形態を、図８乃至図１１を参照して説明する。図８乃至図１１は、顔認証システムの処理動作を説明するための図である。
【００４１】
本実施形態における顔認証システム１０は、上述した実施形態１におけるものと同様の構成であるが、照合処理を開始する条件を満たすか否かを判定する基準が異なる。つまり、本実施形態では、撮影画像からゲートＧ１に対する人物の向きを判定情報として検出し、この判定情報が撮影画像の領域毎に設定された条件を満たす場合に、照合処理を開始することとしている。以下、主に実施形態１とは異なる構成について詳述する。
【００４２】
本実施形態における対象抽出部１１（対象情報検出手段）は、まず、撮影画像内から処理対象となる人物の顔領域を抽出する。そして、対象抽出部１１は、照合処理を開始するか否かを判定するために用いる判定情報である人物の特徴として、自ゲートＧ１に対する人物の顔の向きを検出する。具体的には、判定情報として、撮像装置Ｃ１の光軸Ａ１に対する顔の正面が向いている角度を検出する。例えば、人間の顔を構成する目や鼻、口といった部位を抽出し、それらの位置関係から顔の正面の絶対的な向きを検出し、さらに撮像装置Ｃ１の設置角度などから、当該撮像装置Ｃ１に対する顔の向いている角度を検出することが可能である。なお、顔の向きはいかなる方法で検出してもよい。
【００４３】
そして、本実施形態における条件判定部１２（照合手段）は、対象抽出部１１で検出した判定情報である撮像装置Ｃ１に対する顔の向いている角度が、撮影画像の領域毎に設定された照合処理を開始するための条件を満たすか否かを判定する。なお、本実施形態では、照合処理を開始するための条件が、撮影画像内の水平方向における中央領域と端領域とで異なる値が設定されており、かかる値は照合条件記憶部１５に予め記憶されている。
【００４４】
ここで、撮影画像の中央領域と端領域とにそれぞれ対応して設定される条件の値について説明する。図８及び図９に示すように、撮影画像の中央領域に位置し、自ゲートＧ１に向かう人物Ｐ１０は、撮像装置Ｃ１の撮影方向を向いている可能性が高い。このため、かかる人物Ｐ１０の撮像装置Ｃ１の光軸Ａ１の方向と顔の正面が向いている方向とのなす角度は、極めて小さい可能性が高い。一方で、撮影画像の端領域に位置し、隣接するゲートＧ２に向かう人物Ｐ２０は、当該ゲートＧ２に設置された撮像装置Ｃ２の撮影方向を向いている可能性が高いため、撮像装置Ｃ１の撮影方向を向いていない可能性が高い。このため、かかる人物Ｐ２０の撮像装置Ｃ１の光軸Ａ１の方向と顔の向いている方向とのなす角度は、極めて大きい可能性が高い。
【００４５】
上記に加えて、図１０及び図１１に示すように、撮影画像の端領域に位置していても、自ゲートＧ１に向かう人物Ｐ１２の場合は、撮像装置Ｃ１の撮影方向を向いている可能性が高い。このため、かかる人物Ｐ１２の撮像装置Ｃ１の光軸Ａ１の方向と顔の向いている方向とのなす角度は、隣接ゲートＧ２のレーンＲ２に位置する人物Ｐ２０の角度よりも小さい可能性が高い。
【００４６】
以上のことを考慮して、まず撮影画像の中央領域に対応する条件の値は、当該中央領域に位置する自ゲートＧ１に向かう人物Ｐ１０の特徴である角度が極めて小さい値となることが想定されるため、かかる角度が含まれるような小さい値に設定される。このため、例えば、中央領域に対応する条件の値は、１０°などと設定される。一方で、撮影画像の端領域に対応する条件の値は、上記中央領域に対応する条件の値よりも大きく設定される。これは、端領域に位置する自ゲートＧに向かう人物Ｐ１２の判定情報である角度が、中央領域の人物Ｐ１０よりも大きくなることが予想されるためである。但し、端領域に対応する条件の値は、隣接ゲートＧ２の人物Ｐ２０によって想定される角度よりも小さい値に設定される。このため、例えば、端領域に対応する条件の値は、６０°などと設定される。但し、条件の値は、上述した値に限定されず、ゲートの配置などの状況に応じて適宜設定される。
【００４７】
上記の状況において、条件判定部１２は、判定情報としての人物の特徴である撮像装置Ｃ１に対する顔の角度が、当該人物が位置する撮影画像内の領域に設定された条件の値以下であるか否かを判定する。例えば、図８及び図９の場合には、撮影画像の中央領域に位置する人物Ｐ１０については、その角度が中央領域に設定された条件の値以下であるかを判定し、撮影画像の端領域に位置する人物Ｐ２０については、その角度が端領域に設定された条件の値以下であるかを判定する。同様に、図１０及び図１１の場合には、撮影画像の中央領域に位置する人物Ｐ１０については、その角度が中央領域に設定された条件の値以下であるかを判定し、撮影画像の端領域に位置する人物Ｐ１２については、その角度が端領域に設定された条件の値以下であるかを判定する。図８及び図９の例では、中央領域の人物Ｐ１０が条件を満たし、端領域の人物Ｐ２０は条件を満たさないこととなる。図１０及び図１１の例では、中央領域の人物Ｐ１０が条件を満たし、端領域の人物Ｐ１２も条件を満たすこととなる。
【００４８】
そして、照合部１３は、条件判定部１２により撮像装置Ｃ１に対する人物の角度が当該人物が位置する領域に設定された条件の値以下である、つまり、条件を満たす、と判定された場合に、かかる人物に対する照合処理を開始する。換言すると、照合部１３は、条件判定部１２にて条件を満たさなかった人物については、照合処理を行わない。
【００４９】
以上のように、本実施形態の顔認証システム１０によると、隣接ゲートＧ２を通過しようとしている人物に対する照合処理を抑制でき、自ゲートＧ１を通過しようとする人物を適切に照合処理することができる。その結果、他のゲートを通過しようとする人物の誤認識を抑制することができると共に、不要な照合処理を抑制して情報処理装置の処理負荷を抑制することができる。
【００５０】
なお、上述した判定情報としての人物の特徴である顔の向きは、撮像装置Ｃ１に対する顔の向きに限らず、いかなる基準による値であってもよい。また、照合処理を開始する条件の値も、上述した値に限定されず、いかなる値であってもよい。
【００５１】
＜実施形態３＞
次に、本発明の第３の実施形態を、図１２及び図１３を参照して説明する。図１２は、実施形態３における照合システムの構成を示すブロック図である。図１３は、実施形態３における情報処理装置の構成を示すブロック図である。なお、本実施形態では、実施形態１及び実施形態２で説明した顔認証システムの構成の概略を示している。
【００５２】
図１２に示すように、本実施形態おける照合システム１００は、
ゲートに対する通過前側領域の撮影画像を取得する撮像手段１１０と、
予め登録された対象と、撮影画像内の対象と、の照合処理を行う照合手段１２０と、
照合処理の結果に基づいて、ゲートに対する対象の通過可否を判定する判定手段１３０と、
を備える。
そして、上記照合手段１２０は、撮影画像の領域毎に設定された、当該領域に位置する対象についての条件に基づいて、照合処理を開始する、
という構成をとる。
【００５３】
また、本実施形態では、図１２に示す照合システム１００から撮像手段１１０を取り除いてもよい。
つまり、本実施形態における情報処理装置２００は、
ゲートに対する通過前側領域の撮影画像内の対象と、予め登録された対象と、の照合処理を行う照合手段２１０と、
照合処理の結果に基づいて、ゲートに対する対象の通過可否を判定する判定手段２２０と、
を備える。
そして、上記照合手段２１０は、撮影画像の領域毎に設定された、当該領域に位置する対象についての条件に基づいて、照合処理を開始する、
という構成をとる。
【００５４】
なお、上述した照合手段１２０，２１０と判定手段１３０，２２０とは、演算装置がプログラムを実行することで構築されるものであってもよく、電子回路で構築されるものであってもよい。
【００５５】
そして、上記構成の照合システム１００あるいは情報処理装置２００によると、
ゲートに対する通過前側領域の撮影画像内の対象と、予め登録された対象と、の照合処理を行い、
照合処理の結果に基づいて、ゲートに対する前記対象の通過可否を判定する、
という照合方法が提供される。
そして、かかる照合方法において、さらに、撮影画像の領域毎に設定された、当該領域に位置する対象についての条件に基づいて、照合処理を開始する、
という構成をとる。
【００５６】
上述した照合システム１００あるいは情報処理装置２００によると、撮影画像の所定の領域に位置する対象については、当該対象が当該領域に設定された条件を満たした場合に照合処理を開始される。このため、撮影画像に他のゲートを通過しようとする対象が映っていたとしても、かかる対象が映っていた領域に設定された条件によって、その対象に対する照合処理の開始を抑制することができる。その結果、ゲートを通過しようとする対象の誤認識を抑制することができると共に、不要な照合処理を抑制して情報処理装置の処理負荷を軽減することができる。
【００５７】
＜付記＞
上記実施形態の一部又は全部は、以下の付記のようにも記載されうる。以下、本発明における照合システム、情報処理装置、プログラム、照合方法の構成の概略を説明する。但し、本発明は、以下の構成に限定されない。
【００５８】
（付記１）
ゲートに対する通過前側領域の撮影画像を取得する撮像手段と、
予め登録された対象と、前記撮影画像内の対象と、の照合処理を行う照合手段と、
前記照合処理の結果に基づいて、前記ゲートに対する前記対象の通過可否を判定する判定手段と、
を備え、
前記照合手段は、前記撮影画像の領域毎に設定された、当該領域に位置する前記対象についての条件に基づいて、前記照合処理を開始する、
照合システム。
【００５９】
上記構成によると、照合システムは、撮影画像の所定の領域に位置する対象については、当該対象が当該領域に設定された条件を満たした場合に照合処理を開始される。このため、撮影画像に他のゲートを通過しようとする対象が映っていたとしても、かかる対象が映っていた領域に設定された条件によって、その対象に対する照合処理の開始を抑制することができる。その結果、ゲートを通過しようとする対象の誤認識を抑制することができると共に、不要な照合処理を抑制して情報処理装置の処理負荷を軽減することができる。
【００６０】
（付記２）
付記１に記載の照合システムであって、
前記撮影画像内の前記対象の特徴を表す対象情報を検出する対象情報検出手段を備え、
前記照合手段は、前記撮影画像内の前記対象の前記対象情報が、当該対象が位置する前記撮影画像の領域に設定された条件を満たす場合に、当該対象に対する前記照合処理を開始する、
照合システム。
【００６１】
上記構成によると、撮影画像内の対象の特徴を表す対象情報を検出し、当該対象情報が、撮影画像の領域毎に設定された条件を満たす場合に、対象に対する照合処理を開始する。このため、異なるゲートを通過しようとする対象が映る領域において、当該対象の対象情報を照合処理を開始しない条件に設定することで、対象の誤認識を抑制し、不要な照合処理を抑制することができる。
【００６２】
（付記３）
付記２に記載の照合システムであって、
前記照合手段は、前記撮影画像内の前記対象の前記対象情報が、当該対象が位置する前記撮影画像の水平方向に区分けされた領域毎に設定された条件を満たす場合に、当該対象に対する前記照合処理を開始する、
照合システム。
【００６３】
このように、水平方向に区分けされた領域毎に条件を設定することで、隣接するゲートを通過しようとする対象の誤認識と不要な照合処理を抑制することができる。
【００６４】
（付記４）
付記３に記載の照合システムであって、
前記対象情報検出手段は、前記対象情報として前記対象の大きさを検出し、
前記照合手段は、前記撮影画像内の前記対象の前記対象情報が、当該対象が位置する前記撮影画像の領域毎に設定された条件である値よりも大きい場合に、当該対象に対する前記照合処理を開始し、
前記撮影画像の水平方向における中央領域に対する端領域に設定された前記対象の前記対象情報に対する条件である値は、前記中央領域に設定された前記対象の前記対象情報に対する条件である値よりも大きく設定されている、
照合システム。
【００６５】
（付記５）
付記４に記載の照合システムであって、
前記対象情報検出手段は、前記対象の大きさを表す前記対象情報として、当該対象である人物の顔を構成する所定部位間の距離を検出する、
照合システム。
【００６６】
上記構成によると、端領域に映る対象の大きさに関する条件が、中央領域に移る対象の大きさよりも大きく設定されている。例えば、対象が人物である場合には、人物の顔を構成する所定部位間の距離の条件が、中央領域よりも端領域の方が大きく設定されている。これにより、隣接するゲートを通過しようとする対象が端領域に映った場合には、かかる対象の大きさが条件を満たさないため、対象の誤認識と不要な照合処理を抑制することができる。一方で、該当するゲートを通過しようとする対象が端領域に映った場合には、かかる対象の大きさが条件を満たすこととなり、適切に照合処理を開始することができる。
【００６７】
（付記６）
付記３に記載の照合システムであって、
前記対象情報検出手段は、前記対象情報として前記ゲートに対する前記対象の向きを検出し、
前記照合手段は、前記撮影画像内の前記対象の前記対象情報が、当該対象が位置する前記撮影画像の領域毎に設定された条件を満たす場合に、当該対象に対する前記照合処理を開始し、
前記撮影画像の水平方向における中央領域に対する端領域に設定された前記対象の前記対象情報に対する条件と、前記中央領域に設定された前記対象の前記対象情報に対する条件と、が異なって設定されている、
照合システム。
【００６８】
（付記７）
付記６に記載の照合システムであって、
前記対象情報検出手段は、前記対象の向きを表す前記対象情報として、当該対象である人物の顔を構成する所定部位の位置に基づいて、前記撮像手段に対する前記人物の顔が向いている角度を検出し、
前記照合手段は、前記撮影画像内の前記対象の前記対象情報である角度が、当該対象が位置する前記撮影画像の領域毎に設定された条件である値以下である場合に、当該対象に対する前記照合処理を開始し、
前記撮影画像の水平方向における中央領域に対する端領域に設定された前記対象の前記対象情報に対する条件である値が、前記中央領域に設定された前記対象の前記対象情報に対する条件である角度の値よりも大きく設定されている、
照合システム。
【００６９】
上記構成によると、端領域に映る対象の向きに関する条件が、中央領域と端領域とで異なって設定されている。例えば、対象が人物である場合には、撮像装置に対する人物の顔が向いている角度の条件が、中央領域よりも端領域の方が大きく設定されている。これにより、該当するゲートを通過しようとする対象が端領域に映った場合には、かかる対象の角度が条件を満たすこととなり、適切に照合処理を開始することができる。一方で、隣接するゲートを通過しようとする対象が端領域に映った場合には、かかる対象の角度が条件を満たさないため、対象の誤認識と不要な照合処理を抑制することができる。
【００７０】
（付記８）
ゲートに対する通過前側領域の撮影画像内の対象と、予め登録された対象と、の照合処理を行う照合手段と、
前記照合処理の結果に基づいて、前記ゲートに対する前記対象の通過可否を判定する判定手段と、
を備え、
前記照合手段は、前記撮影画像の領域毎に設定された、当該領域に位置する前記対象についての条件に基づいて、前記照合処理を開始する、
情報処理装置。
【００７１】
（付記９）
付記８に記載の情報処理装置であって、
前記撮影画像内の前記対象の特徴を表す対象情報を検出する対象情報検出手段を備え、
前記照合手段は、前記撮影画像内の前記対象の前記対象情報が、当該対象が位置する前記撮影画像の領域に設定された条件を満たす場合に、当該対象に対する前記照合処理を開始する、
情報処理装置。
【００７２】
（付記１０）
情報処理装置に、
ゲートに対する通過前側領域の撮影画像内の対象と、予め登録された対象と、の照合処理を行う照合手段と、
前記照合処理の結果に基づいて、前記ゲートに対する前記対象の通過可否を判定する判定手段と、
を実現させるためのプログラムであり、
前記照合手段は、前記撮影画像の領域毎に設定された、当該領域に位置する前記対象についての条件に基づいて、前記照合処理を開始する、
プログラム。
【００７３】
（付記１１）
付記１０に記載のプログラムであって、
前記情報処理装置に、さらに前記撮影画像内の前記対象の特徴を表す対象情報を検出する対象情報検出手段を実現させると共に、
前記照合手段は、前記撮影画像内の前記対象の前記対象情報が、当該対象が位置する前記撮影画像の領域に設定された条件を満たす場合に、当該対象に対する前記照合処理を開始する、
プログラム。
【００７４】
（付記１２）
情報処理装置が、
ゲートに対する通過前側領域の撮影画像内の対象と、予め登録された対象と、の照合処理を行い、
前記照合処理の結果に基づいて、前記ゲートに対する前記対象の通過可否を判定する方法であり、
前記情報処理装置は、前記撮影画像の領域毎に設定された、当該領域に位置する前記対象についての条件に基づいて、前記照合処理を開始する、
照合方法。
【００７５】
（付記１３）
付記１２に記載の照合方法であって、
前記情報処理装置が、前記撮影画像内の前記対象の特徴を表す前対象情報を検出し、
前記情報処理装置は、前記撮影画像内の前記対象の前記対象情報が、当該対象が位置する前記撮影画像の領域に設定された条件を満たす場合に、当該対象に対する前記照合処理を開始する、
照合方法。
【００７６】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００７７】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００７８】
１０  顔認証システム
１１  対象抽出部
１２  条件判定部
１３  照合部
１４  ゲート制御部
１５  照合条件記憶部
１６  照合データ記憶部
１００  照合システム
１１０  撮像手段
１２０  照合手段
１３０  判定手段
２００  情報処理装置
２１０  照合手段
２２０  判定手段
Ｃ１，Ｃ２，Ｃ３  撮像装置
Ｄ１  表示装置
Ｇ１，Ｇ２，Ｇ３  ゲート
【図１】
2019194875.tif 000003
【図２】
2019194875.tif 000004
【図３】
2019194875.tif 000005
【図４】
2019194875.tif 000006
【図５】
2019194875.tif 000007
【図６】
2019194875.tif 000008
【図７】
2019194875.tif 000009
【図８】
2019194875.tif 000010
【図９】
2019194875.tif 000011
【図１０】
2019194875.tif 000012
【図１１】
2019194875.tif 000013
【図１２】
2019194875.tif 000014
【図１３】
2019194875.tif 000015